(57)【要約】【課題】人体の特定の部位に送風することができるとともに、送風機を安定して保持することができ、更には導風パイプ及び各送風機を衣服から容易に分離することのできる人体用送風装置を提供する。【解決手段】人体Ａの一方の脇部から首部後方を介して他方の脇部まで連続して延びるように形成された導風パイプ２０と、導風パイプ２０の両端にそれぞれ取り付けられた一対の送風機３０とを備え、導風パイプ２０の各吐出孔２１から人体Ａの所定部位に向かって空気を吐出するようにしたので、人体Ａの特定の部位に集中して送風することができる。この場合、各送風機３０を導風パイプ２０によって人体Ａの首から吊り下げるように支持することができる。また、導風パイプ２０、各送風機３０及び各バッテリ４０を衣服Ａの内側に着脱自在に取り付けたので、これらを衣服１０から容易に分離することができる。【選択図】図２
2018135614.tif 000002
【特許請求の範囲】
【請求項１】
人体に空気を送風する人体用送風装置において、
前記人体の一方の脇部から首部後方を介して他方の脇部まで連続して延びるように形成され、人体の所定部位に向かって空気を吐出する吐出孔が設けられた導風パイプと、
導風パイプの両端に取り付けられ、導風パイプ内に空気を送風する一対の送風機とを備え、
導風パイプ及び各送風機を人体に着用される衣服の内側に着脱自在に取り付け、
衣服における各送風機に対応する部分には外部と通気性を有する通気部を設けた
ことを特徴とする人体用送風装置。
【請求項２】
前記導風パイプ及び各送風機を衣服に着脱自在に保持する複数の保持部を備え、各保持部を面ファスナーによって形成した
ことを特徴とする請求項１記載の人体用送風装置。
【請求項３】
前記衣服の内側に、人体の背中に対応する部分に配置される吸水性部材を設けた
ことを特徴とする請求項１または２記載の人体用送風装置。
【請求項４】
前記衣服の内側に、人体の脇の下に対応する部分に配置される吸水性部材を設けた
ことを特徴とする請求項１、２または３記載の人体用送風装置。
【発明の詳細な説明】
【技術分野】
【０００１】
本発明は、例えば工事現場等の作業者に着用され、人体に空気を送風するための人体用送風装置に関するものである。
【背景技術】
【０００２】
従来、扇風機など人体から離れた所定の設置場所からの送風ではなく、送風機を携行することにより確実且つ効率的に風を人体に提供するものが提案されている。例えば、衣服の腰付近に送風機を設け、衣服の内側に外気を導入し、袖口及び首元から導入空気を排出するようにしたものが知られている（例えば、特許文献１参照）。このような人体着用型の送風装置によれば、夏場等に高温となる作業現場で作業者が使用することにより、作業者の熱中症予防対策に有効である。
【先行技術文献】
【特許文献】
【０００３】
【特許文献１】特開２０１７−１４６４４号公報
【発明の概要】
【発明が解決しようとする課題】
【０００４】
しかしながら、前記従来例のように、送風機によって衣服の腰付近から衣服の内側に外気を導入し、袖口及び首元から空気を排出するようにしたものでは、衣服内の空気が人体の部位にかかわらず満遍なく流通するため、例えば人体の後頭部や脇の下など、熱中症の予防に効果的な特定の部位に集中して送風することができず、しかも腹部などの冷やしたくない部位まで送風されるという問題点があった。また、前記従来例では、送風機が衣服のみで保持されるため、送風機を安定して保持することができず、送風機の自重が衣服に直接加わって衣服の着心地を低下させるという問題もあった。更に、前記従来例では、衣服に開口部を設けて送風機を直接衣服に取り付けているため、送風機と衣服とを容易に分離することができない。このため、送風機能を必要としないときには送風機が邪魔になり、衣服の洗濯にも手間を要するという問題点があった。
【０００５】
本発明は上記事情に鑑みてなされたものであり、その目的とするところは、人体の特定の部位に送風することができるとともに、送風機を安定して保持することができ、更には導風パイプ及び各送風機を衣服から容易に分離することのできる人体用送風装置を提供することにある。
【課題を解決するための手段】
【０００６】
前記目的を達成するために、人体に空気を送風する人体用送風装置において、前記人体の一方の脇部から首部後方を介して他方の脇部まで連続して延びるように形成され、人体の所定部位に向かって空気を吐出する吐出孔が設けられた導風パイプと、導風パイプの両端に取り付けられ、導風パイプ内に空気を送風する一対の送風機とを備え、導風パイプ及び各送風機を人体に着用される衣服の内側に着脱自在に取り付け、衣服における各送風機に対応する部分には外部と通気性を有する通気部を設けている。
【０００７】
これにより、導風パイプの吐出孔から人体の所定部位に向かって空気が送風されることから、例えば人体の冷却に効果的な後頭部や脇の下など、人体の特定の部位に集中して送風することが可能となる。また、人体に衣服を着用すると、導風パイプの両端側に各送風機の自重が加わるとともに、各送風機が導風パイプによって人体の首から吊り下げられるように支持されることから、各送風機の自重が衣服のみに加わることがない。更に、導風パイプ及び各送風機が衣服の内側に着脱自在に取り付けられることから、これらを衣服から容易に分離することが可能となる。更に、衣服における各送風機に対応する部分に外部と通気性を有する通気部が設けられることから、各送風機を衣服に開口部を設けて直接取り付ける必要がない。
【発明の効果】
【０００８】
本発明によれば、例えば人体の冷却に効果的な後頭部や脇の下など、人体の特定の部位に集中して送風することができるので、熱中症予防に極めて有利である。この場合、各送風機を導風パイプによって人体の首から吊り下げるように支持することができるので、各送風機の自重が衣服のみに加わることがなく、各送風機を安定して保持することができる。また、導風パイプ及び各送風機を衣服から容易に分離することができるので、送風機能を必要としないときには、導風パイプ及び各送風機を衣服から取り外すことにより、衣服のみとして使用することができるとともに、衣服の洗濯も容易に行うことができる。更に、各送風機を衣服に開口部を設けて直接取り付ける必要がないので、各送風機と衣服との分離を容易に行うことができる。
【図面の簡単な説明】
【０００９】
【図１】本発明の一実施形態を示す着用状態の人体用送風装置の正面図
【図２】衣服を一点鎖線で示した着用状態の人体用送風装置の正面図
【図３】衣服を一点鎖線で示した着用状態の人体用送風装置の背面図
【図４】衣服を平面状に展開した状態を示す人体用送風装置の正面図
【発明を実施するための形態】
【００１０】
図１乃至図４は本発明の一実施形態を示すもので、人体に向かって送風する人体用送風装置を示すものである。尚、図４における衣服の図は概略図である。
【００１１】
同図に示す人体用送風装置１は、人体Ａに着用される衣服１０と、人体Ａに向かって空気を吐出する導風パイプ２０と、導風パイプ２０内に空気を吐出する一対の送風機３０と、各送風機３０をそれぞれ駆動する一対のバッテリ４０とを備え、導風パイプ２０、各送風機３０及び各バッテリ４０は衣服１０の内側に着脱自在に取り付けられている。
【００１２】
衣服１０は、例えば工場や工事現場等で使用する作業服の上着からなり、ポリエステル等の生地によって縫製されている。衣服１０の左右両側には、各送風機３０に対応する部分に外部と通気性を有する通気部１１が設けられ、通気部１１は通気性の素材（例えば布製のメッシュ）によって衣服１０と一体に形成されている。また、衣服１０の内面には、導風パイプ２０を着脱自在に保持する複数の第１の保持部１２と、各送風機３０をそれぞれ保持する一対の第２の保持部１３と、各バッテリ４０をそれぞれ保持する一対の第３の保持部１４が設けられている。各保持部１２，１３，１４はそれぞれ帯状に形成された周知の面ファスナーからなり、導風パイプ２０、各送風機３０及び各バッテリ４０をそれぞれ面ファスナーで巻き付けることにより衣服１０に固定するようになっている。各第１の保持部１２は衣服１０の左右両側に設けられ、互いに上下方向に間隔をおいて配置されている。各第２の保持部１３は最下位の第１の保持部１２の下方にそれぞれ設けられ、通気部１１に対応する位置に配置されている。各第３の保持部１４は各第２の保持部１３の側方にそれぞれ設けられ、各第２の保持部１３よりも衣服１０の背中側に配置されている。
【００１３】
また、衣服１０の内側には、吸水性部材からなる第１及び第２の吸水パッド１５，１６が設けられ、各吸水パッド１５，１６は、例えば綿を主材料とする周知の吸水性部材からなる。第１の吸水パッド１５は人体Ａの背中に対応する部分に配置され、人体Ａの背中の大部分を覆う大きさに形成されている。第２の吸水パッド１６は人体Ａの両脇に対応する部分にそれぞれ配置され、人体Ａの脇の下を覆う大きさに形成されている。
【００１４】
導風パイプ２０は、例えば合成樹脂製のチューブ等、可撓性を有する管状部材からなり、人体Ａの一方の脇部から首部後方を介して他方の脇部まで連続して延びるように形成されている。導風パイプ２０の周面には空気を吐出する複数の吐出孔２１が設けられ、各吐出孔２１は互いに導風パイプ２０の長手方向に間隔をおいて配置されている。この場合、導風パイプ２０の長手方向中央側の吐出孔２１は人体Ａの首部（特に後頭部）に向かって空気を吐出する向きに設けられ、導風パイプ２０の長手方向両端側の吐出孔２１はそれぞれ人体Ａの脇の下に向かって空気を吐出する向きに設けられている。また、導風パイプ２０は衣服１０の各第１の保持部１２に保持されている。尚、吐出孔２１の形状、位置、個数は種々の形態が可能である。
【００１５】
各送風機３０は、薄型略直方体形状の筐体３１内にファン及びモータを配置してなる周知のシロッコファンからなり、それぞれ導風パイプ２０の両端に取り付けられている。各送風機３０は筐体３１の上面に空気吐出口３２を有し、空気吐出口３２は導風パイプ２０の端部に接続されている。また、各送風機３０は筐体３１の前面及び背面に空気吸入口３３を有し、各空気吸入口３３は筐体３１に設けられた多数の孔からなる。各送風機３０は衣服１０の各第２の保持部１３に保持され、筐体３１の空気吸入口３３が衣服１０の通気部１１に臨むように配置されている。
【００１６】
各バッテリ４０は周知の充電池からなり、それぞれ衣服１０の各第３の保持部１４に保持されている。各バッテリ４０はそれぞれ電源スイッチ４１を介して各送風機３０に接続され、各電源スイッチ４１の操作により各送風機３０がそれぞれオン・オフするようになっている。
【００１７】
以上のように構成された人体用送風装置１においては、人体Ａに衣服１０を着用すると、導風パイプ２０が人体Ａの首部後方から人体Ａの両脇に亘って延びるように配置される。その際、導風パイプ２０の両端側には各送風機３０の自重が加わるが、各送風機３０は導風パイプ２０によって人体Ａの首から吊り下げられるように支持されることから、各送風機３０の自重が衣服１０のみに加わることがない。また、衣服１０の第１及び第２の吸水パッド１５，１６には予め水分を吸収させておく。
【００１８】
ここで、各電源スイッチ４１をオンにすると、各送風機３０が作動し、外部の空気が衣服１０の各通気部１１から各送風機３０に吸入され、図１及び図２の実線矢印に示すように各送風機３０から送風される空気が導風パイプ２０の各吐出孔２１から吐出される。これにより、導風パイプ２０の各吐出孔２１から吐出される空気が人体Ａに向かって送風され、人体Ａが冷却される。その際、導風パイプ２０の長手方向中央側の吐出孔２１からは人体Ａの首部（特に後頭部）に向かって空気が吐出し、導風パイプ２０の長手方向両端側の吐出孔２１からはそれぞれ人体Ａの脇の下に向かって空気が吐出する。また、第１の吸水パッド１５が人体Ａの背中に対応する部分に接触し、第２の吸水パッド１６が人体Ａの両脇に対応する部分に接触することから、人体Ａの背中及び両脇が各吸水パッド１５，１６の水分によって冷却される。
【００１９】
また、衣服１０から導風パイプ２０、各送風機３０及び各バッテリ４０を取り外す場合は、これらの保持部１２，１３，１４の面ファスナーによる結合を解除することにより、導風パイプ２０、各送風機３０及び各バッテリ４０が衣服１０から分離される。
【００２０】
このように、本実施形態の人体用送風装置１は、人体Ａの一方の脇部から首部後方を介して他方の脇部まで連続して延びるように形成された導風パイプ２０と、導風パイプ２０の両端にそれぞれ取り付けられた一対の送風機３０とを備え、導風パイプ２０の各吐出孔２１から人体Ａの所定部位に向かって空気を吐出するようにしたので、人体Ａの冷却に効果的な後頭部や脇の下など、人体Ａの特定の部位に集中して送風することができ、熱中症予防に極めて有利である。
【００２１】
この場合、各送風機３０を導風パイプ２０によって人体Ａの首から吊り下げるように支持することができるので、各送風機３０の自重が衣服１０のみに加わることがなく、各送風機３０を安定して保持することができる。また、導風パイプ２０、各送風機３０及び各バッテリ４０を衣服Ａの内側に着脱自在に取り付けたので、これらを衣服１０から容易に分離することができる。これにより、送風機能を必要としないときには、導風パイプ２０、各送風機３０及び各バッテリ４０を衣服１０から取り外すことにより、衣服１０のみとして使用することができるとともに、衣服１０の洗濯も容易に行うことができる。この場合、衣服１０における各送風機３０に対応する部分に外部と通気性を有する通気部１１を設けたので、各送風機３０を衣服１０に開口部を設けて直接取り付ける必要がなく、各送風機３０と衣服との分離を容易に行うことができる。
【００２２】
この場合、面ファスナーからなる複数の保持部１２，１３，１４により導風パイプ２０、各送風機３０及び各バッテリ４０を衣服１０に着脱自在に保持するようにしたので、これらの着脱作業を極めて容易に行うことができる。
【００２３】
また、衣服１０の内側に、水分を吸収した第１及び第２の吸水パッド１５，１６を設けたので、導風パイプ２０から吐出される空気のみならず、各吸水パッド１５，１６によっても人体Ａを冷却することができる。この場合、第１及び第２の吸水パッド１５，１６は、人体Ａの体温を下げるのに効果的な背中と脇の下に対応する部分にそれぞれ配置されているので、熱中症予防効果を高めることができる。
【符号の説明】
【００２４】
１…人体用送風装置、１０…衣服、１１…通気部、１２…第１の保持部、１３…第２の保持部、１４…第３の保持部、１５…第１の吸水パッド、１６…第２の吸水パッド、２０…導風パイプ、２１…吐出孔、３０…送風機、Ａ…人体。
【図１】
2018135614.tif 000003
【図２】
2018135614.tif 000004
【図３】
2018135614.tif 000005
【図４】
2018135614.tif 000006